(57)【要約】      （修正有）【課題】水中カメラハウジング内のカメラにより撮影する撮影画像中に水深値を併せて表示できる水深表示アダプターを提供する。【解決手段】水中カメラハウジングにおけるハウジング本体外面に取り付ける水深センサ２と、水深センサ２からの水深信号を増幅する増幅器４と、増幅した水深信号をＡ／Ｄ変換して水深測定データとするＡ／Ｄ変換器５と、予め水深データ−水深値対応情報を記憶した水深参照データ記憶部６と、水深測定データと水深参照データ記憶部６に記憶した水深データ−水深値対応情報とを比較しハウジング本体の水中位置における水深値を求める水深算出部７と、を具備する水深信号処理手段３と、を有し、水深信号処理手段３をカメラ３０のカメラ制御回路３６にケーブル接続し、求めた水深値をカメラ３０の表示部３７にて撮影画像とともに表示させる構成としたものである。【選択図】図３
2009177279.tif 000002
【特許請求の範囲】
【請求項１】
カメラを内蔵する水中カメラハウジングの水深表示アダプターであって、
水中カメラハウジングのハウジング本体に取り付ける水深センサと、
前記水深センサが検出した水深信号を基に当該ハウジング本体の水中位置における水深値を求める水深信号処理手段と、を有し、
前記水深信号処理手段を内蔵したカメラのカメラ制御回路にケーブル接続し、求めた水深値を前記カメラの表示部にて撮影画像とともに表示させるように構成したことを特徴とする水中カメラハウジングの水深表示アダプター。
【請求項２】
カメラを内蔵する水中カメラハウジングの水深表示アダプターであって、
水中カメラハウジングにおけるハウジング本体外面に取り付ける水深センサと、
前記水深センサからの水深信号を増幅する増幅器と、増幅した水深信号をＡ／Ｄ変換して水深測定データとするＡ／Ｄ変換器と、予め水深データ−水深値対応情報を記憶した水深参照データ記憶部と、前記水深測定データと前記水深参照データ記憶部に記憶した水深データ−水深値対応情報とを比較し当該ハウジング本体の水中位置における水深値を求める水深算出部と、を具備する水深信号処理手段と、を有し、
前記水深信号処理手段を内蔵したカメラのカメラ制御回路にケーブル接続し、求めた水深値を前記カメラの表示部にて撮影画像とともに表示させるように構成したことを特徴とする水中カメラハウジングの水深表示アダプター。
【請求項３】
カメラを内蔵する水中カメラハウジングの水深表示アダプターであって、
水中カメラハウジングにおけるハウジング本体外面に取り付ける水深センサと、
前記水深センサからの水深信号を増幅する増幅器と、増幅した水深信号をＡ／Ｄ変換して水深測定データとするＡ／Ｄ変換器と、予め水深データ−水深値対応情報を記憶した水深参照データ記憶部と、前記水深測定データと前記水深参照データ記憶部に記憶した水深データ−水深値対応情報とを比較し当該ハウジング本体の水中位置における水深値を求める水深算出部と、を具備する水深信号処理手段と、を有し、
前記水深信号処理手段を内蔵したカメラのカメラ制御回路にケーブル接続し、求めた水深値を前記カメラの表示部にて撮影画像とともに表示させ、かつ、求めた水深値を撮影画像とともに前記カメラの画像記憶部に記憶するように構成したことを特徴とする水中カメラハウジングの水深表示アダプター。
【発明の詳細な説明】
【技術分野】
【０００１】
本発明は、水中カメラハウジングの水深表示アダプターに関するものである。
【背景技術】
【０００２】
従来、カメラを水中カメラハウジング内に内蔵して水中にて魚類、水中植物等の被写体の水中撮影を行う場合、カメラマンは水中カメラハウジングとは別に水深測定機能を有するダイバーウォッチを用意し、当該水中カメラハウジングの水中での水深をダイバーウォッチが指示する水深値により確認して水中撮影を実行しているのが一般的である。
【０００３】
しかし、このような従来の撮影手法では、水中カメラハウジング内のカメラにより撮影する撮影画像中に水深値を記録することができないという不便さがあった。
【０００４】
特許文献１には、水深測定機能を有するダイバーウォッチ（又はダイバーコンピュータと水中カメラとを組み合わせ、ダイバーウォッチからの水深情報を水中カメラで受信してこの水中カメラの撮影画像の色補正を行うように構成した水中カメラが提案されている。
【０００５】
特許文献１の場合には、ダイバーウォッチからの水深情報を取得し記録できるものの、水中カメラハウジングとは別にダイバーウォッチを携帯する必要があり、陸上撮影に比べ制約が多い水中撮影時に煩雑な作業を強いられるという不便さを伴っている。
【特許文献１】特２００４−１４６９２８号
【発明の開示】
【発明が解決しようとする課題】
【０００６】
本発明が解決しようとする問題点は、水中カメラハウジング内のカメラにより撮影する撮影画像中に水深値を併せて表示し得るような簡略構成の水中カメラハウジングの水深表示アダプターが存在しない点である。
【課題を解決するための手段】
【０００７】
本発明は、カメラを内蔵する水中カメラハウジングの水深表示アダプターであって、水中カメラハウジングのハウジング本体に取り付ける水深センサと、前記水深センサが検出した水深信号を基に当該ハウジング本体の水中位置における水深値を求める水深信号処理手段と、を有し、前記水深信号処理手段を内蔵したカメラのカメラ制御回路にケーブル接続し、求めた水深値を前記カメラの表示部にて撮影画像とともに表示させるように構成したことを最も主要な特徴とする。
【発明の効果】
【０００８】
請求項１記載の発明によれば、ダイバーウォッチ等を携帯する煩雑さを伴うことなく、実際に水中撮影を行なって得られた撮影画像とこのときの水深値とを併せて視認できる水中カメラハウジングの水深表示アダプターを提供することができる。
【０００９】
請求項２記載の発明によれば、水深センサと、水深センサからの水深信号を増幅する増幅器と、増幅した水深信号をＡ／Ｄ変換して水深測定データとするＡ／Ｄ変換器と、予め水深データ−水深値対応情報を記憶した水深参照データ記憶部と、前記水深測定データと前記水深参照データ記憶部に記憶した水深データ−水深値対応情報とを比較し当該ハウジング本体の水中位置における水深値を求める水深算出部と、を具備する水深信号処理手段と、を有し、接続ケーブルを用いてカメラに接続するだけの簡略構成で、請求項１記載の発明と同様、ダイバーウォッチ等を携帯する煩雑さを伴うことなく、実際に水中撮影を行なって得られた撮影画像とこのときの水深値とを併せて視認できる水中カメラハウジングの水深表示アダプターを提供することができる。
【００１０】
請求項３記載の発明によれば、請求項２記載の発明と同様な効果を奏することに加え、求めた水深値を撮影画像とともにカメラの画像記憶部に記憶するように構成したことによって、必要に応じてプリントアウトした所定の用紙上で撮影画像とこのときの水深値とを併せて認識することも可能な水中カメラハウジングの水深表示アダプターを提供することができる。
【発明を実施するための最良の形態】
【００１１】
本発明は、水中カメラハウジング内のカメラにより撮影する撮影画像中に水深値を併せて表示できる簡略構成の水中カメラハウジングの水深表示アダプターを提供することを目的とする。
【００１２】
本発明は、カメラを内蔵する水中カメラハウジングの水深表示アダプターであって、水中カメラハウジングにおけるハウジング本体外面に取り付ける水深センサと、前記水深センサからの水深信号を増幅する増幅器と、増幅した水深信号をＡ／Ｄ変換して水深測定データとするＡ／Ｄ変換器と、予め水深データ−水深値対応情報を記憶した水深参照データ記憶部と、前記水深測定データと前記水深参照データ記憶部に記憶した水深データ−水深値対応情報とを比較し当該ハウジング本体の水中位置における水深値を求める水深算出部と、を具備する水深信号処理手段と、を有し、前記水深信号処理手段を内蔵したカメラのカメラ制御回路にケーブル接続し、求めた水深値を前記カメラの表示部にて撮影画像とともに表示させる構成により上記目的を実現した。
【実施例】
【００１３】
以下に、本発明の実施例に係る水中カメラハウジングの水深表示アダプターについて詳細に説明する。
【００１４】
本実施例に係る水深表示アダプター１を含む水中カメラハウジング２０は、図１に示すように、箱型状に形成したハウジング本体２１と、このハウジング本体２１の背面側を施蓋する裏蓋ハウジング２２とにより、例えばデジタルカメラのようなカメラ３０を内部に水密構造で内蔵するように構成している。
【００１５】
前記ハウジング本体２１には、公知のようにハウジング鏡筒２３、シャッターレバー２４、アクセサリーシュー２５等が設けられている。また、前記裏蓋ハウジング２２には、カメラ３０の後述する表示部３７を外部から視認するための透過窓２６が設けられている。
【００１６】
前記カメラ３０には、公知のようにレンズ鏡筒３１、内蔵ストロボ３２、シャッターボタン３３、接続ケーブル１０の他端を装着するための接続ポート３４等が設けられ、さらに、このカメラ３０の背面側には図１には図示しないが液晶ディスプレイ等からなる表示部３７が設けられている。前記接続ケーブル１０としては、例えばＵＳＢ型の接続ケーブルを採用する。
【００１７】
本実施例に係る水深表示アダプター１は、前記ハウジング本体２１の外面、例えば表面左隅部に取り付けられ、このハウジング本体２１の水中での深さに応じた水深信号を出力する例えば圧力センサを用いた水深センサ２と、前記ハウジング本体２１内において例えば前記カメラ３０の横位置に配置されかつ前記水深センサ２と接続されて、この水深センサ２が検出した水深信号（水深に応じた電圧値）を基に当該ハウジング本体２１の水深値（例えば１ｍ、２ｍ、３ｍ・・・等）を求める水深信号処理手段３とを有している。
【００１８】
前記水深信号処理手段３は、図３に示すように、前記水深センサ２からの水深信号を増幅する増幅器４と、増幅した水深信号をＡ／Ｄ変換して水深測定データ（電圧値）とするＡ／Ｄ（アナログ／デジタル）変換器５と、予め図４に示すように水深測定データ−水深値対応情報を記憶した水深参照データ記憶部６と、前記水深測定データと前記水深参照データ記憶部６に記憶した水深データ−水深値対応情報とを比較し当該ハウジング本体２１の水中位置における水深値を求める水深算出部７と、求めた水深値を記憶する水深値記憶部８と、これら各要素の制御を行なう制御部１１と、を有している。
【００１９】
さらに、前記水深信号処理手段３は、図１にも示すように、接続ケーブル１０の一端を装着するための接続ポート９を具備している。
【００２０】
前記カメラ３０は、図３に示すように、前記レンズ鏡筒３１に取り付けた対物レンズ３１ａ、図示しない撮像素子から構成され、魚類等のような被写体の画像を撮影する撮影部３５と、このカメラ３０全体の動作制御を行なうカメラ制御回路３６と、撮影画像を表示する表示部３７と、撮影画像を記憶する例えばメモリカード等のような画像記憶部３８と、前記カメラ制御回路３６に接続した前記接続ポート３４とを有している。
【００２１】
そして、前記接続ケーブル１０の一端を前記水深信号処理手段３の接続ポート９に接続し、また、前記接続ケーブル１０の他端を前記接続ポート３４に接続して、前記水深信号処理手段３にて求めた水深値のデータをカメラ制御回路３６に伝送するように構成している。
【００２２】
次に、本実施例に係る水中カメラハウジング２０の水深表示アダプター１の動作について説明する。
【００２３】
本実施例に係る水中カメラハウジング２０に対して上述したような構成の水深表示アダプター１を取り付け、かつ、接続ケーブル１０により前記水深信号処理手段３とカメラ３０とを接続するとともに、水中カメラハウジング２０内にカメラ３０を内蔵した状態で、カメラマンが海等における水中に潜ると、前記水中カメラハウジング２０に取り付けた水深センサ２は、ハウジング本体２１の水中での深さに応じた水深信号を出力する。
【００２４】
また、カメラマンは、前記シャッターレバー２４を操作し、内蔵したカメラ３０により被写体を撮影する。
【００２５】
この水深信号は、増幅器４により増幅された後、Ａ／Ｄ変換器５によりＡ／Ｄ変換され水深測定データとなる。そして、前記制御部１１の制御の基に水深算出部７が水深測定データと水深値対応情報とを比較し、当該ハウジング本体２１の水中位置における水深値（例えば３ｍ等）を求める。
【００２６】
求めた水深値のデータは、前記水深値記憶部８に記憶されるとともに、前記接続ケーブル１０を介してカメラ３０のカメラ制御回路３６に伝送され、カメラ制御回路３６の制御の基にカメラ３０による被写体の撮影画像とともに前記表示部３７に伝送され、図２に示すように、被写体の撮影画像とともに表示される。尚、図２は前記透過窓２６を介してカメラ３０の表示部３７を視認した状態を示すものである。
【００２７】
同時に前記水深値のデータは、カメラ制御回路３６の制御の基にカメラ３０による被写体の撮影画像とともに前記画像記憶部３８に伝送され、記憶される。
【００２８】
以上の動作により、カメラマンはダイバーウォッチを携帯する煩雑さを伴うことなく、水深表示アダプター１を取り付け、かつ、カメラ３０を内蔵した水中カメラハウジング２０を操作して水中撮影を行なうだけで、水中カメラハウジング２０の透過窓２６を介してカメラ３０の表示部３７に表示される撮影画像とこのときの水深値とを併せて認識することができる。
【００２９】
また、前記画像記憶部３８には、被写体の撮影画像とともにこのときの水深値が記憶保持されるので、画像記憶部３８の記憶データをプリンタにて所定の用紙にプリントアウトした際にも、前記撮影画像とこのときの水深値とを併せて認識することができる。
【００３０】
上述したように、本実施例に係る水中カメラハウジング２０の水深表示アダプター１によれば、水深センサ２と水深信号処理手段３とからなる簡略構成であり、かつ、接続ケーブル１０を用いてカメラ３０に接続するだけという簡略操作の基に、ダイバーウォッチ等を携帯する煩雑さを伴うことなく、実際に水中撮影を行なって得られた撮影画像とこのときの水深値とを水中カメラハウジング２０の透過窓２６を介して併せて認識したり、また、必要に応じてプリントアウトした所定の用紙上で撮影画像とこのときの水深値とを併せて認識することができるという優れた利点を有する。
【産業上の利用可能性】
【００３１】
本発明は、上述した場合の他、水中カメラハウジング内にビデオカメラを内蔵して水中撮影を行なう場合や、防水使用のテレビカメラを用いて水中撮影を行なう場合等に広範に応用可能である。
【図面の簡単な説明】
【００３２】
【図１】本発明の実施例に係る水深表示アダプターを含む水中カメラハウジングの概略分解斜視図である。
【図２】本発明の実施例に係る水深表示アダプターを含む水中カメラハウジングの背面図である。
【図３】本発明の実施例に係る水深表示アダプター及びカメラの構成を示す概略ブロック図である。
【図４】本発明の実施例に係る水深表示アダプターにおける水深測定データと水深との関係を示す説明図である。
【符号の説明】
【００３３】
１    水深表示アダプター
２    水深センサ
３    水深信号処理手段
４    増幅器
５    Ａ／Ｄ変換器
６    水深参照データ記憶部
７    水深算出部
８    水深値記憶部
９    接続ポート
１０    接続ケーブル
１１    制御部
２０    水中カメラハウジング
２１    ハウジング本体
２２    裏蓋ハウジング
２３    ハウジング鏡筒
２４    シャッターレバー
２５    アクセサリーシュー
２６    透過窓
３０    カメラ
３１    レンズ鏡筒
３１ａ  対物レンズ
３２    内蔵ストロボ
３３    シャッターボタン
３４    接続ポート
３５    撮影部
３６    カメラ制御回路
３７    表示部
３８    画像記憶部
【図１】
2009177279.tif 000003
【図２】
2009177279.tif 000004
【図３】
2009177279.tif 000005
【図４】
2009177279.tif 000006